(57)【特許請求の範囲】
【請求項１】
第１の位置と第３の位置との間におけるセルラサービスを該第１の位置から離隔した第２の位置から検査する方法において、
前記第１の位置にある第１の携帯電話機と前記第２の位置の通信機との間に、アクセス用の第１の音声パスを確立するステップと、
前記第１の位置にある第２の携帯電話機と前記第３の位置の通信機との間に、検査用の第２の音声パスを確立するステップと、
前記第２の位置の通信機が前記第２の携帯電話機に接続されてこの第２の携帯電話機と通信可能となるように、前記第１の音声パスと前記第２の音声パスとを橋渡しするステップとを備えていることを特徴とするセルラサービスの検査方法。
【請求項２】
前記第１および第２の携帯電話機が入力／出力インターフェイスに結合されており、
前記第２の位置の制御端末から前記入力／出力インターフェイスに送信されたコマンドを介して前記第１および第２の携帯電話機を制御するステップをさらに備えていることを特徴とする請求項１のセルラサービスの検査方法。
【請求項３】
前記制御するステップが、前記第１の携帯電話機に第１の検査番号をプログラムするサブステップと、前記第２の携帯電話機に第２の検査番号をプログラムするサブステップとを含んでいることを特徴とする請求項２に記載のセルラサービスの検査方法。
【請求項４】
前記第１および第２の携帯電話機の１つに表示された情報に対応するディスプレイ情報を、前記入力／出力インターフェイスを介して前記第２の位置の制御端末に送信するステップをさらに備えていることを特徴とする請求項２のセルラサービスの検査方法。
【請求項５】
前記橋渡しするステップが、
前記第１の携帯電話機の送信機を前記第２の携帯電話機の受信機に結合するサブステップと、
前記第１の携帯電話機の受信機を前記第２の携帯電話機の送信機に結合するサブステップとを備えていることを特徴とする請求項１のセルラサービスの検査方法。
【請求項６】
第１の位置における無線サービスを該第１の位置から離隔した第２の位置から検査するための自動化された検査機において、
第１の携帯電話機と、
第２の携帯電話機と、
前記第１の携帯電話機および前記第２の携帯電話機に結合されたディジタルインターフェイスボードと、
前記第１の携帯電話機および前記第２の携帯電話機を結合するオーディオスイッチと、
前記ディジタルインターフェイスボードに結合された入力／出力インターフェイスとを備えていることを特徴とする検査機。
【請求項７】
前記第１の携帯電話機が前記第２の位置へアクセスするアクセス用の第１の音声パスを確立し、前記オーディオスイッチが前記第１の音声パスと前記第２の携帯電話機によって確立された検査用の第２の音声パスとを橋渡しすることを特徴とする請求項６の検査機。
【請求項８】
前記ディジタルインターフェイスボードが、前記入力／出力インターフェイスによって受信される前記第２の位置の制御端末からのコマンドに応じて前記第１および第２の携帯電話機を制御するプロセッサを備えていることを特徴とする請求項６の検査機。
【請求項９】
前記ディジタルインターフェイスボードが、前記入力／出力インターフェイスによって受信される前記第２の位置の制御端末からのコマンドに応じて前記第１および第２の携帯電話機を制御するプロセッサを備えていることを特徴とする請求項７の検査機。
【請求項１０】
第１の位置と第３の位置との間におけるセルラサービスをモニターするための検査機において、
前記第１の位置から離隔した第２の位置へアクセスするアクセス用の第１の音声パスを確立するのに有効な第１の携帯電話機と、
検査用の第２の音声パスを確立するのに有効な第２の携帯電話機と、
前記第１の携帯電話機と前記第２の携帯電話機とを結合するオーディオスイッチとを備えていることを特徴とする検査機。
【請求項１１】
前記オーディオスイッチが、前記第１の携帯電話機の送信機を前記第２の携帯電話機の受信機に結合する第１の接続パスと、前記第１の携帯電話機の受信機を前記第２の携帯電話機の送信機に結合する第２の接続パスとを含んでいることを特徴とする請求項１０の検査機。
【請求項１２】
第３の位置と第１の位置との間のセルラサービスを用い、第１の位置にある第１の携帯電話機の現場での動作を該第１の位置から離隔した第２の位置からシミュレートするための方法において、
前記第２の位置の通信機と前記第１の位置にある第２の携帯電話機との間に、アクセス用の第１の音声パスを確立するステップと、
前記第３の位置の通信機と前記第１の携帯電話機との間に検査用の第２の音声パスを確立するステップと、
前記第１の音声パスと前記第２の音声パスとを橋渡しするステップとを備えていることを特徴とする方法。
【請求項１３】
前記第２の位置においてコマンドを生成するステップと、
前記コマンドを前記第１の位置へ送信するステップと、
前記コマンドに応じて前記第１の携帯電話機を稼働するステップとをさらに備えていることを特徴とする請求項１２の方法。
【請求項１４】
前記橋渡しするステップが、
前記第１の携帯電話機の送信機を前記第２の携帯電話機の受信機に結合するステップと、
前記第１の携帯電話機の受信機を前記第２の携帯電話機の送信機に結合するステップとを備えていることを特徴とする請求項１２の方法。
【請求項１５】
第１の位置と第３の位置との間におけるセルラサービスを該第１の位置から離隔した第２の位置から検査するためのシステムにおいて、
前記第２の位置にあって、ディスプレイを含んでいる制御端末と、
前記第１の位置にある第１の携帯電話機と、
前記第１の位置にある第２の携帯電話機と、
前記制御端末からコマンドを受け取る入力／出力インターフェイスと、
前記第１の位置にあって、前記第１の携帯電話機および前記第２の携帯電話機に結合され且つ受け取ったコマンドに応答して前記第１および第２の携帯電話機により確立された音声パスどうしを橋渡しするオーディオスイッチとを備えていることを特徴とするシステム。
【請求項１６】
前記第１の位置にあって、前記入力／出力インターフェイスに結合されるとともに前記第１および第２の携帯電話機に結合されたディジタルインターフェイスボードをさらに備えており、
前記ディジタルインターフェイスボードが、前記第２の携帯電話機からディスプレイデータ情報を受信し、前記入力／出力インターフェイスを介して前記制御端末に前記ディスプレイデータ情報を与えることを特徴とする請求項１５のシステム。
【請求項１７】
前記第１の携帯電話機が前記第２の位置の電話機にアクセスするアクセス用の第１の音声パスを確立することを特徴とする請求項１５のシステム。
【発明の詳細な説明】
【０００１】
【発明の属する技術分野】
本発明は、ある位置でのセルラサービスを遠隔地から検査するための装置および係る装置の駆動方法に関する。より詳細には、本発明は、遠隔操作が可能であって、少なくとも２つの携帯電話機（セルラ電話機）を含む遠隔セルラ自動検査機を提供するものである。
【０００２】
【従来の技術】
セルラ通信技術の使用量は増大し続けている。ますます多くのユーザが、多くのセルラサービス事業者によって提供されるサービスに加入している。一般には、サービス事業者は地理的に広いエリアでサービスを提供している。従って、事業者にとって、こういった地理的に隔たったエリアのそれぞれでサービス上の問題を解決するための技術的資源を有することは困難である。過去においては、技術サポート部門の所在地から地理的に離れたエリアからのサービス上の苦情を事業者が受けた場合、事業者は、技術者および機器をその地理的に離れた地点に派遣し且つサービス上の問題の発生源を見付け出すべく検査を行わなければならなかった。例えば、事業者の技術サポート部門がユタ州のソルトレイクシティにはあるがサービスが提供されているアイダホ州のボイスにはなく、そのボイスで生じたサービス上の問題を１人または複数の使用者が知らせてきた場合、適当な機器とともに技術者をボイスに派遣してそのシステムの問題の原因を解明しなければならなかった。
【０００３】
【発明が解決しようとする課題】
上記従来技術では、技術的資源の配置についてのロジスティック（物流支援）の問題を引き起こす。つまり、このことは、技術的資源を１カ所に集めることすなわち統合することによって実現される効率の達成およびコスト削減を阻害することになる。そこで、人員を地理的に隔たったエリアに派遣する必要なく、遠隔地から必要な検査を行うことができるようになることが望まれている。
【０００４】
【課題を解決するための手段】
本発明は、セルラサービスの遠隔自動検査を可能とするものである。より詳細には、本発明は、特定の地理的領域に設置することができ且つ遠隔検査が必要とされるときには容易にアクセスすることができる検査機を提供する。この検査機は、アクセス用携帯電話機と検査用携帯電話機との少なくとも２つの携帯電話機を含んでいる。また、この検査機は、遠隔地にいる技術者の端末によってアクセス可能とするために通信インターフェイスを有している。技術者の端末と検査機との間の通信は、通信ネットワークを介して行われる。地理的に遠い領域内のセルラサービスを効果的にモニターする音声パスを遠隔地にいる技術者に提供するために、アクセス用携帯電話機が遠隔地にある電話機からの音声パスの終点となる。また、アクセス用携帯電話機と検査用携帯電話機との間にオーディオループを形成することにより、遠隔地の電話機の脇に座っている技術者は、検査用携帯電話機が受信するのと同じ信号を受信することができるとともに、検査用携帯電話機によって送信される信号を生成することができる。
本発明に係るセルラサービスの検査方法は、第１の位置と第３の位置との間におけるセルラサービスを該第１の位置から離隔した第２の位置から検査する方法において、前記第１の位置にある第１の携帯電話機と前記第２の位置の通信機との間に、アクセス用の第１の音声パスを確立するステップと、前記第１の位置にある第２の携帯電話機と前記第３の位置の通信機との間に、検査用の第２の音声パスを確立するステップと、前記第２の位置の通信機が前記第２の携帯電話機に接続されてこの第２の携帯電話機と通信可能となるように、前記第１の音声パスと前記第２の音声パスとを橋渡しするステップとを備えていることを特徴とする。
また、本発明に係るセルラサービスの検査方法であって、前記第１および第２の携帯電話機が入力／出力インターフェイスに結合されており、前記第２の位置の制御端末から前記入力／出力インターフェイスに送信されたコマンドを介して前記第１および第２の携帯電話機を制御するステップをさらに備えていることを特徴とする。
さらに、本発明に係るセルラサービスの検査方法であって、前記制御するステップが、前記第１の携帯電話機に第１の検査番号をプログラムするサブステップと、前記第２の携帯電話機に第２の検査番号をプログラムするサブステップとを含んでいることを特徴とする。
また、本発明に係るセルラサービスの検査方法であって、前記第１および第２の携帯電話機の１つに表示された情報に対応するディスプレイ情報を、前記入力／出力インターフェイスを介して前記第２の位置の制御端末に送信するステップをさらに備えていることを特徴とする。
さらに、本発明に係るセルラサービスの検査方法であって、前記橋渡しするステップが、前記第１の携帯電話機の送信機を前記第２の携帯電話機の受信機に結合するサブステップと、前記第１の携帯電話機の受信機を前記第２の携帯電話機の送信機に結合するサブステップとを備えていることを特徴とする。
【０００５】
この検査機はディジタルインターフェイスボードをも含んでおり、これにより遠くにある技術者端末の脇にいる技術者は検査機内のアクセス用携帯電話機と検査用携帯電話機とにある種のコマンドを実行することが可能になる。かかるコマンドは、携帯電話機のプログラミング、携帯電話機へのダイアル、および携帯電話機のパワーアップまたはパワーダウンを含むものである。この結果、セルラサービス事業者は、地理的に隔たった領域におけるセルラサービスを遠隔的に検査する比較的安価なやり方を有することとなる。
本発明に係る検査機は、第１の位置における無線サービスを該第１の位置から離隔した第２の位置から検査するための自動化された検査機において、第１の携帯電話機と、第２の携帯電話機と、前記第１の携帯電話機および前記第２の携帯電話機に結合されたディジタルインターフェイスボードと、前記第１の携帯電話機および前記第２の携帯電話機を結合するオーディオスイッチと、前記ディジタルインターフェイスボードに結合された入力／出力インターフェイスとを備えていることを特徴とする。
また、本発明に係る検査機であって、前記第１の携帯電話機が前記第２の位置へアクセスするアクセス用の第１の音声パスを確立し、前記オーディオスイッチが前記第１の音声パスと前記第２の携帯電話機によって確立された検査用の第２の音声パスとを橋渡しすることを特徴とする。
さらに、本発明に係る検査機であって、前記ディジタルインターフェイスボードが、前記入力／出力インターフェイスによって受信される前記第２の位置の制御端末からのコマンドに応じて前記第１および第２の携帯電話機を制御するプロセッサを備えていることを特徴とする。
また、本発明に係る検査機であって、前記ディジタルインターフェイスボードが、前記入力／出力インターフェイスによって受信される前記第２の位置の制御端末からのコマンドに応じて前記第１および第２の携帯電話機を制御するプロセッサを備えていることを特徴とする。
また、本発明に係る検査機は、第１の位置と第３の位置との間におけるセルラサービスをモニターするための検査機において、前記第１の位置から離隔した第２の位置へアクセスするアクセス用の第１の音声パスを確立するのに有効な第１の携帯電話機と、検査用の第２の音声パスを確立するのに有効な第２の携帯電話機と、前記第１の携帯電話機と前記第２の携帯電話機とを結合するオーディオスイッチとを備えていることを特徴とする。
さらに、本発明に係る検査機であって、前記オーディオスイッチが、前記第１の携帯電話機の送信機を前記第２の携帯電話機の受信機に結合する第１の接続パスと、前記第１の携帯電話機の受信機を前記第２の携帯電話機の送信機に結合する第２の接続パスとを含んでいることを特徴とする。
さらにまた、本発明に係るシステムをシミュレートするための方法は、第３の位置と第１の位置との間のセルラサービスを用い、第１の位置にある第１の携帯電話機の現場での動作を該第１の位置から離隔した第２の位置からシミュレートするための方法において、前記第２の位置の通信機と前記第１の位置にある第２の携帯電話機との間に、アクセス用の第１の音声パスを確立するステップと、前記第３の位置の通信機と前記第１の携帯電話機との間に検査用の第２の音声パスを確立するステップと、前記第１の音声パスと前記第２の音声パスとを橋渡しするステップとを備えていることを特徴とする。
また、本発明に係るシステムをシミュレートするための方法であって、前記第２の位置においてコマンドを生成するステップと、前記コマンドを前記第１の位置へ送信するステップと、前記コマンドに応じて前記第１の携帯電話機を稼働するステップとをさらに備えていることを特徴とする。
さらに、本発明に係るシステムをシミュレートするための方法であって、前記橋渡しするステップが、前記第１の携帯電話機の送信機を前記第２の携帯電話機の受信機に結合するステップと、前記第１の携帯電話機の受信機を前記第２の携帯電話機の送信機に結合するステップとを備えていることを特徴とする。
さらにまた、本発明に係るシステムは、第１の位置と第３の位置との間におけるセルラサービスを該第１の位置から離隔した第２の位置から検査するためのシステムにおいて、前記第２の位置にあって、ディスプレイを含んでいる制御端末と、前記第１の位置にある第１の携帯電話機と、前記第１の位置にある第２の携帯電話機と、前記制御端末からコマンドを受け取る入力／出力インターフェイスと、前記第１の位置にあって、前記第１の携帯電話機および前記第２の携帯電話機に結合され且つ受け取ったコマンドに応答して前記第１および第２の携帯電話機により確立された音声パスどうしを橋渡しするオーディオスイッチとを備えていることを特徴とする。
また、本発明に係るシステムであって、前記第１の位置にあって、前記入力／出力インターフェイスに結合されるとともに前記第１および第２の携帯電話機に結合されたディジタルインターフェイスボードをさらに備えており、前記ディジタルインターフェイスボードが、前記第２の携帯電話機からディスプレイデータ情報を受信し、前記入力／出力インターフェイスを介して前記制御端末に前記ディスプレイデータ情報を与えることを特徴とする。
さらに、本発明に係るシステムであって、前記第１の携帯電話機が前記第２の位置の電話機にアクセスするアクセス用の第１の音声パスを確立することを特徴とする。
【０００６】
【発明の実施の形態】
本発明を説明するために、問題となっているセルラ事業者の技術的資源がワシントン州シアトルに集中しており、コロラド州デンバーでのセルラサービスをモニターすることを望んでいるものとする。この状況は、デンバーを歩き回っているサービス加入者がアクセス上の問題やセルラサービスに関する他の欠陥を体験したときに発生するものである。このような場合、サービス事業者はエラーが発生した領域内のセルラサービスを検査しようと欲する。なお、係る携帯電話機が経験した問題を複現することが本来望ましいことがある。
【０００７】
本発明の実施の形態では、遠隔セルラ自動検査機１３０が対象となる地理的領域に配置されている。係る検査機は対象となるであろう地理的領域に前もって配置されているものとする。検査機１３０は、検査用携帯電話機１３２とこれとともにループを形成するアクセス用携帯電話機１３１とを含んでいる。さらに、検査機１３０はデータインターフェイス１３３を含んでいる。検査機１３０についてのさらなる詳細は、図２および図３と関連して説明する。
【０００８】
シアトルにいる技術者は、技術者端末１１０で検査セッションを開始することができる。端末１１０は、通信ネットワーク１１１を経由して検査機１３０との通信を開始することができる。これと同時に、同じ地理的領域への音声パスをつくることが望ましい。そこで、シアトルにいる技術要員は、電話機１２０を用いて検査機への音声パスを生成することが可能である。まず、電話機１２０は、対象となる領域にある携帯電話交換局（ＭＳＣ）１２２へのパスを提供する公衆電話交換ネットワーク（ＰＳＴＮ）１２１に接続される。また、ＭＳＣ１２２はローカル基地局１２３へのパスを提供している。そして、アクセス用携帯電話機１３１までは無線での接続が行われる。技術者端末１１０の脇にいる技術者は、以下に詳述するプロセスで実行されるコマンドを検査機１３０に送信する。このようなプロセッサにより、検査用携帯電話機１３２は通話を開始することが可能になる。一般的には、この通話は、アクセス用携帯電話機１３１への音声パスを形成するものと同じ基地局設備で扱われる。後で詳述するオーディオループは、電話機１２０の脇にいる技術者が検査用携帯電話機１３２が受信したものと同じオーディオ情報を聞くことができ且つその技術者が検査用携帯電話機１３２により送信されるオーディオ情報を離隔した電話機１２０において生成できるように、アクセス用携帯電話機１３１と検査用携帯電話機１３２とを結び付ける。さらに、技術者端末１１０を操作することにより、検査用携帯電話機１３２またはアクセス用携帯電話機１３１のいずれかのキーボード操作を制御することができ、このためより一層、技術者の身体はシアトルにあるにもかかわらず技術者がデンバーにいるように見せることができる。
【０００９】
図２は、図１の遠隔自動セルラ検査機１３０の詳細なブロック図である。図において、遠隔自動セルラ検査機１３０は、電話インターフェース２１４とライン２１５および２１６でそれぞれ接続されたアクセス用携帯電話機１３１と検査用携帯電話機１３２を備え、これらの携帯電話機はループアクセス２３０を介して結合されている。パワーサプライ２０１から電源を供給されるディジタルインターフェイスボード２１０は、検査機に知能を与えるとともに、離隔した位置にある技術者端末によって与えられるコマンドに応答する能力を提供する。ディジタルインターフェイスボード２１０は、ディジタルインターフェイスボードのための処理機能を行うマイクロコントローラユニット（ＭＣＵ）２１１を含んでいる。リードオンリーメモリ（ＲＯＭ）２１３は、技術者端末から受け取ったコマンドを実行するＭＣＵ２１１によって実行される制御プログラムを記憶している。ランダムアクセスメモリ（ＲＡＭ）２１２は、遠隔地から検査機に送られた一時情報または２つの携帯電話機１３１、１３２に結合された電話インターフェイス２１４と協力して遠隔地においてＭＣＵ２１１によって検出される情報のいずれかを記憶する。また、ディジタルインターフェイスボード２１０は、このボード２１０が技術者端末１１０からデータを受け取ることができるようにするためのＲＳ−２３２インターフェイス２２０をも含んでいる。このデータは、検査機内の一方または両方の携帯電話機の動作を制御するために端末１１０で生成されたコマンドを含んでいる。
【００１０】
図３は、オーディオループ結合２３０によって達成される効果的な結合をいくぶん詳細に示すものである。アクセス用携帯電話機３１３１は、基地局１２３からの無線送信を受信する受信機Ｒｘ（３１３）を有している。アクセス用携帯電話機３１３１は、基地局１２３への送信を行う送信機Ｔｘ（３１４）を有している。受信機３１３はスピーカ３１２と結合されており、これにより携帯電話機の脇にいる携帯電話機のユーザは受信機３１３で受信した情報を聞くことができる。送信機３１４は、ユーザの音声を受信可能で且つこの音声を送信情報として送信機３１４に与えるマイクロフォン３１１に接続されている。アクセス用携帯電話機３１３１は、この携帯電話機の動作を制御するＣＰＵ３１０を含んでいる。ＣＰＵ３１０は、図２に示す電話インターフェイス２１４を介して検査機１３０内のディジタルインターフェイスボード２１０と結合されている（この結合は図３には示されていない）。検査用携帯電話機３１３２も同様な機能的要素を有している。送信機Ｔｘ（３２４）はマイクロフォン３２１に接続されており、マイクロフォン３２１で受信した音声情報を送信する。受信機Ｒｘ（３２３）はローカル基地局から情報を受信してそれをスピーカ３２２に与える。検査用携帯電話機３１３２は、図２に示す電話インターフェイス２１４を介してディジタルインターフェイスボード２１０と結合されている（この結合は図３には示されていない）ＣＰＵ３２０をも有している。オーディオループは、２つの携帯電話機の受信機と送信機との交差結合と関係がある。より具体的には、受信機３１３の出力が送信機３２４の入力に結合される。つまり、離隔した位置にいる技術者は電話機１２０を用いてＰＳＴＮ１２１を介して基地局１２３に音声情報を与えることができ、アクセス用携帯電話機３１３１の受信機３１３で受信された音声情報は、検査用携帯電話機３１３２の送信機３２４に伝えられてローカルセルラシステムに送信される。また、受信機３２３の出力がアクセス用携帯電話機３１３１の送信機３１４の入力に与えられる。この結果、セルラシステムから受信機３２３が受信した音声情報は、アクセス用携帯電話機３１３１の送信機３１４に伝えられ、電話機１２０により確立された音声パス上にいる離隔した技術者に送信される。２つの携帯電話機の間のこれら接続および離隔した位置にいる技術者への音声パスの確立の結果、あたかも技術者がそこにいるかのように検査用携帯電話機３１３２を動作させることができる。技術者は、検査用携帯電話機３１３２のスピーカ３２２によって供給されたものと同じ音を聞くことになる。さらに、シアトルにいる技術者によって与えられた音声は、まるで直接マイクロフォン３２１に入力されたかのように送信機３２４により送信される。よって、音声の観点からは、まるで技術者がデンバーの検査用携帯電話機３１３２の前にいるかのようになる。
【００１１】
技術者端末が検査機にアクセスするためのものであって且つ技術者端末が一方または両方の携帯電話機の動作を制御できるようにするための通信パスにより、離隔した位置にいる技術者が検査用携帯電話機３１３２のハンドオン動作（hands-on）をシミュレートすることが可能になる。
【００１２】
本発明のその他の特徴としては、検査機と技術者端末との間の通信接続により一方または両方の携帯電話機に与えられたディスプレイ情報を技術者端末に転送して、そこでの表示を行うようにすることもできる。特に、検査用携帯電話機３１３２が受信機３２３を介してその上に表示される情報を受信している限りは、ＣＰＵ３２０はこのディスプレイ情報を電話インターフェイス２１４を介してディジタルインターフェイスボード２１０に与えることが可能である。そして、このインターフェイスボード２１０は、ＲＳ−２３２インターフェイス２２０を介して離隔した位置にある技術者端末１１０にディスプレイ情報を転送することができる。こういった接続の結果、離隔した位置にいる技術者は対象領域にあるターゲットすなわち検査用携帯電話機までの距離を隔てて「見る」ことができる。これにより、遠隔地にいても、対象領域内での顧客のアクティビティを再現したりそのアクティビティがうまくいっているかどうかを判定するといったユーザ機能のチェック能力を得ることができる。このアクティビティは、電話をかけたり受けたりするためのローミング（roam）についての顧客の権能を含んでいてよい。また、対象領域からインテリジェントネットワークサービスにアクセスすることについての加入者の権能を検査するようにしてもよい。
【００１３】
技術者端末１１０から検査機１３０への接続は、通信ネットワーク１１１を使用することに代えて、モデムを用いてＰＳＴＮを介して実現することもでき、さらにモデムを用いてセルラネットワークを介して実現することもできる。
【００１４】
さらに、本発明の実施の形態においては、２つの携帯電話機としてエリクソン社（Ericsonn）、ノキア社（Nokia）、または沖社（Oki）の製造によるものをシステムは採用している。なぜなら、これらの電話機はシリアルインターフェイスを有しているため、そのＣＰＵにアクセス可能であるとともにオーディオ回路にもアクセス可能だからである。このように電話機にシリアルインターフェイスがあることで本実施の形態で説明したオーディオループを形成することができ、また電話機のＣＰＵへのアクセスも可能となるので、ディジタルインターフェイスボードを介して電話機に対しコマンドを実行することが可能となる。
【００１５】
技術者の端末から遠隔的に実行することのできるコマンドは、以下のものを含んでいる。
【００１６】
１  いずれかの電話機に電話番号をプログラムする
２  いずれかの電話機に電話番号をダイアルする
３  いずれかの電話機にオーバーダイアル（over dialing）する
４  電話機のステータスを示す
５  「パスワード変更」、「プロフィール変更」などの管理コマンド
６  ログ出力
７  電話機のスイッチを切ってすぐまた入れる（パワーサイクル）
８  電話機Ａの終了
９  電話機Ｂの終了
なお、これらは単なる例示であり、遠隔操作能力を網羅的に示すリストではない。
【００１７】
【発明の効果】
このような本発明の検査機の適応性およびプログラム可能性に鑑みると、セルラサービス事業者はより一層技術資源を集中させることができ、且つ地理的に隔たった領域におけるセルラサービスを十分に検査することができる。
【図面の簡単な説明】
【図１】  本発明の実施の形態において遠隔セルラ自動検査を行うための構成の概略図である。
【図２】  図１中の遠隔地にある検査機を詳細に示すブロック図である。
【図３】  図２に示された検査機の実施の形態のオーディオループを概略的に示した図である。
【符号の説明】
１１０  技術者端末、１１１  通信ネットワーク、１２０  電話機、１２１  公衆電話交換ネットワーク（ＰＳＴＮ）、１２２  携帯電話交換局（ＭＳＣ）、１２３  ローカル基地局、１３０  検査機、１３１、３１３１  アクセス用携帯電話機、１３２、３１３２  検査用携帯電話機、１３３  データインターフェイス、２１０  ディジタルインターフェイスボード、２１１  マイクロコントローラユニット（ＭＣＵ）、２１４  電話インターフェイス、２２０  ＲＳ−２３２インターフェイス、２３０  オーディオループ結合。
【図１】
0004008078.tif 000002
【図２】
0004008078.tif 000003
【図３】
0004008078.tif 000004